(57)【要約】【課題】  計測者が舷外に乗出すことなく安全に喫水確認を行うことができ、船舶船尾域の複雑なフレアー形状の船尾の舷側外板が海面に接しない箇所についても正確な喫水数値の計測を可能とする船尾喫水計測用冶具を提供する。【解決手段】  船尾喫水計測用冶具において、船舶船尾舷側から吊り降ろされる支柱管の下方に配置される文字表示部と、当該文字表示部の表面に配置され、中に下方から侵入する海水の海面位置で浮遊するフロートが配置される透明パイプと、前記支柱管に沿って上下にスライドし、当該文字表示部の表示文字及び前記フロートの双方を同時に反射する反射部とを有する。【選択図】図２
2019194057.tif 000002
【特許請求の範囲】
【請求項１】
船舶船尾舷側から吊り降ろされる支柱管の下方に配置される文字表示部と、
当該文字表示部の表面に配置され、中に下方から侵入する海水の海面位置で浮遊するフロートが配置される透明パイプと、
前記支柱管に沿って上下にスライドし、当該文字表示部の表示文字及び前記フロートの双方を同時に反射する反射部とを有することを特徴とする船尾喫水計測用冶具。
【請求項２】
前記文字表示部の表示文字は、船底からの垂直距離に対応する喫水数値であり、前記反射部からの反射像として認識するために左右反転して表示される文字であることを特徴とする請求項１に記載の船尾喫水計測用冶具。
【請求項３】
前記反射部は、前記支柱管の間の面に対向する面に配置され、前記文字表示部の文字及び統計パイプ内のフロートの双方を同時に反射する反射部であることを特徴とする請求項１に記載の船尾喫水計測用冶具。
【発明の詳細な説明】
【技術分野】
【０００１】
本発明は、船舶船尾舷側の船上からの喫水確認として使用することができる船尾喫水計測用冶具に関する。
【背景技術】
【０００２】
「喫水」とは、船舶が水に浮いているときの船底から水面までの垂直距離をいい、船舶においては、その船舶が最大に貨物等を積載することができる積載量を決定する満載喫水や何も積載することのない最軽喫水を決定するために、喫水を計測する必要がある。この種の喫水計測においては、所定の計測用具を水面近くまで舷側に吊り降ろし、航海士やサーベイヤが喫水計測のために縄梯子で舷外へ乗り出し、又は小型のボートで近くまで近寄って目視で読み取りを行っている。
【０００３】
この種の船舶の喫水計測に関しては、例えば、実開昭６０−１６３３０７号公報全文明細書に開示のものが知られている。実開昭６０−１６３３０７号全文明細書に開示のものは、考案名称「ドラフトマーク目盛り装置」に係り、船舶の船体外板に描かれる「船のきっ水状態を知るための目盛り」である「ドラフトマーク」を船体外板に描く（取りつける）際に使用される「ドラフトマークを取り付ける場合の目盛り作業に供する装置」の考案である(同公報明細書１頁１３行目〜１５行目参照）。ドラフトマークは、船体がどれだけ水中に沈んでいるかを示す目盛りであり、船舶喫水と技術的に同義であり、その意味で、実開昭６０−１６３３０７号公報全文明細書に開示のものは、本願発明「船尾喫水計測用冶具」の先行技術に当たる。
【０００４】
すなわち、実開昭６０−１６３３０７号公報全文明細書に開示の技術は、「造船所内でも心出し作業等に用いられているレーザー光線源を利用してこれを迅速に行えるように」するための技術であって(同公報全文明細書２頁８行目〜１０行目参照）、「船底面の延長平面上のドラフトマーク取付個所近く,上記平面に直角にタワーをたて、このタワーにはレーザー光線源を上下しうるようにしてその高さのよみ取り手段と共に装置し,このレーザー光線は前記平面に平行にドラフトマーク目盛り個所を照射しうる」構成をとることによって（同公報実用新案登録請求の範囲の記載参照）、「造船所における手近かな器材を利用し,従来の巻尺による方法よりははるかに迅速に正確に目盛り作業ができ,この効果は従来の方法では困難の多い船体が傾斜している場合特に著しい。」等の効果を奏するものである（同公報全文明細書３頁１２行目〜１６行目参照）。
【０００５】
図８は、当該実開昭６０−１６３３０７号公報に第２図として添付される同公報に開示の考案装置を用いてドラフトマーク目盛り作業の方法を側面側より説明する図面であり、図８において、１０１は、船尾部、１０２は、船底面、１０４は、ドラフトマークの基準平面、１１０は、タワー、１１１は、レーザー光線源、１１１ａは、レー一ザー光線源から平面4に平行にドラフトマーク個所に向け照射されるレーザー光線である（符号は、先行技術であることを明らかにするために、本願出願人において、３桁に変更して説明した。）。
【０００６】
しかしながら、上述した図８に示される例であっても、船舶の喫水計測のためには別途の縄梯子等を使用したり、計測員が舷外へ身を乗り出しての確認作業を行わなければならず、特に、船舶の喫水線がフレアー部（船尾船底等が急激に痩せ細る部分）に掛って船体外板が海水に接しない場合には目視での確認が困難をきたし、正確な数値が読み取れないという問題点も残るし、荒天時は計測が一層困難となり、かつ計測員が落水などの危険が伴うという問題が残ることとなる。  
【先行技術文献】
【特許文献】
【０００７】
【特許文献１】実開昭６０−１６３３０７号公報
【発明の概要】
【発明が解決しようとする課題】
【０００８】
そこで、本願発明は、上記問題点を解消し、計測者が舷外に乗出すことなく安全に喫水確認を行うことができ、特に、船舶船尾域の複雑なフレアー形状の船尾の舷側外板が海面に接しない箇所についても正確な喫水数値の計測を可能とする船尾喫水計測用冶具を提供せんとするものである。
【課題を解決するための手段】
【０００９】
上記課題を解決するために本願請求項１に係る発明は、船尾喫水計測用冶具において、船舶船尾舷側から吊り降ろされる支柱管の下方に配置される文字表示部と、当該文字表示部の表面に配置され、中に下方から侵入する海水の海面位置で浮遊するフロートが配置される透明パイプと、前記支柱管に沿って上下にスライドし、当該文字表示部の表示文字及び前記フロートの双方を同時に反射する反射部とを有することを特徴とする。
また、本願請求項２に係る発明は、前記請求項１に記載の船尾喫水計測用冶具において、前記文字表示部の表示文字は、船底からの垂直距離に対応する喫水数値であり、前記反射部からの反射像として認識するために左右反転して表示される文字であることを特徴とする。
そして、本願請求項３に係る発明は、前記請求項１に記載の船尾喫水計測用冶具において、前記反射部は、前記支柱管の間の面に対向する面に配置され、前記文字表示部の文字及び統計パイプ内のフロートの双方を同時に反射する反射部であることを特徴とする。
【発明の効果】
【００１０】
喫水線が船尾フレアー部に掛かっていても該冶具に表示した文字を読むことで正確な喫水の数値を読み取ることができ、また、喫水計測のために縄梯子を用いて舷外へ乗り出す必要がなくなったため、荒天時における計測者の落水の危険がなくなるという効果を有する。すなわち、計測者が舷外から身を乗出すことなく安全に喫水確認を行うことができ、また、造船所内に従来からある鋼材等を組合わせて製作できるという効果がある。
特に、船舶船尾域は、プロペラ（図示外）や舵（図示外）等により、船底が大きく丸味を帯び、かつ、船尾船底が急激にやせ細る複雑なフレアー形状をとるので、このような複雑なフレアー形状の船尾の舷側外板が海面に接しない箇所についても正確な喫水数値の計測が可能となるという極めて優れた効果を有する。
【図面の簡単な説明】
【００１１】
【図１】図１は、本実施例１に係る船尾喫水計測用治具１を喫水を計測する船体船尾から吊り降ろして船舶喫水計測の概略を示す図である。
【図２】図２（ａ）（ｂ）は、本発明に係る船尾喫水計測用冶具の実施例１の概略を示す図であり、そのうち、図２（ａ）は、正面概略図、図２（ｂ）は、その側面概略図である。
【図３】図３（ａ）（ｂ）は、本実施例１に係る船尾喫水計測用冶具１において使用される前記反射板部４の概略構成図であり、図３（ａ）は、その正面図、図３（ｂ）は、側面図である。
【図４】図４（ａ）は、前記文字表示部２及びその表面に配置された前記透明アクリルパイプ３並びに前記フロート６の配置構成を示す概略図であり、図４（ｂ）は、図３（ａ）に示す透明アクリルパイプ３及びその中に海面で浮遊可能に配置される前記フロート６の配置構成を示す概略図である。
【図５】図５は、本実施例１に係る船尾喫水計測用冶具１の前記反射板部４の使用状態、すなわち、前記反射板１１に前記文字表示部２の文字位置及び前記透明アクリルパイプ３内の前記フロート６の基準線部６ｃを反射させて、その反射像を船舶舷側上方の船上から判別する使用状態を示す概略図である。
【図６】図６は、本実施例１に係る船尾喫水計測用冶具１を船体船尾に配置して、当該船舶の喫水を計測する状態を示す概略図である。
【図７】図７は、上記実施例２に係る船尾喫水計測用冶具の概略構成を示す図である。
【図８】図８は、当該実開昭６０−１６３３０７号公報に第２図として添付される同公報に開示の考案装置を用いてドラフトマーク目盛り作業の方法を側面側より説明する図面である。
【発明を実施するための形態】
【００１２】
本発明に係る船尾喫水計測用冶具を実施するための一実施例を図面に基づき詳細に説明する。
【実施例１】
【００１３】
図１は、本実施例１に係る船尾喫水計測用治具１を喫水を計測する船体船尾から吊り降ろして船舶喫水計測の概略を示す図である。図１において、１０１は、前記船体船尾部、１０２は、船底、１０３は、喫水マーク、１０５は、プロペラ、１０６は、舵、１０７は、満載喫水線、１０８は、軽荷航海喫水である。図１に示すように、本実施例１に係る船尾喫水計測用治具１は、前記船体船尾部１０１の適宜の箇所から吊り下げられ、前記満載喫水線１０７や前記軽荷航海喫水１０８を設定するために使用される治具である。
【００１４】
図２（ａ）（ｂ）は、本発明に係る船尾喫水計測用冶具の実施例１の概略を示す図であり、そのうち、図２（ａ）は、正面概略図、図２（ｂ）は、その側面概略図である。図２（ａ）（ｂ）において、符号１は、本実施例１に係る船尾喫水計測用冶具１であり、２は、文字表示部、３は、透明アクリルパイプ、３ａは、当該透明アクリルパイプ３の下端に配置される海水のみ透過する格子栓、４は、反射板部、１２ａ、１２ｂは、吊り下げ紐通し部、５ａ〜５ｃは、前記透明アクリルパイプを固定するパイプバンド、６は、後述するように上下の部材間で海面位置を示す線が表示されたフロートであり、前記透明アクリルパイプ３の中で浮遊して配置される。また、符号７ａ、７ｂは、本実施例１に係る船尾喫水計測用冶具１の両端に配置される二本の支柱めっき管であり、８ａ〜８ｅは、前記二本の支柱めっき管７ａ、７ｂ間を連結する連結板である。
【００１５】
本実施例１に係る船尾喫水計測用冶具１は、使用する船舶の喫水高さにもよるが、本実施例１に係る船尾喫水計測用冶具１においては、喫水６ｍから８ｍの喫水計測を前提として、全長９０００ｍｍ、幅３００ｍｍの二本の前記支柱めっき管（５ＡＳＧＰ）７ａ、７ｂ及びその間に配置される前記連結板８ａ〜８ｅからなる。いずれも長さや連結間隔、管径等に制限はないが、本実施例１に係る船尾喫水計測用冶具１においては、２５ｍｍφの支柱めっき管を使用する。そして、本実施例１に係る船尾喫水計測用冶具１においては、前記文字表示部２の上端の高さ位置は、最上端から６０９５ｍｍの位置に配置され、かつ，当該文字表示部２の上端から文字中心まで６５ｍｍとすれば、最上部の文字の中心位置はおよそ６１６０ｍｍとなる。したがって、本実施例１に係る船尾喫水計測用冶具１の喫水計測する船舶の船尾舷側船上から１６０ｍｍ（１６ｃｍ）上方に突出させて設置すれば、喫水文字表示は、計測しようとする喫水の計測に必要な舷側船上高さ位置との関係で海面近傍の高さ位置とすることができることとなる。
【００１６】
すなわち、本実施例１に係る船尾喫水計測用冶具１の前記文字表示部２は、その上端が当該治具１の最上端から６０９５ｍｍの下方位置に配置され、その表面には、前述のように、計測しようとする喫水を表す文字が表示され、さらに、当該喫水を表わす文字面が見えるように前記透明アクリルパイプ３が配置され、当該透明アクリルパイプ３内には、前記フロート６が海面に浮遊可能に配置される。そして、前記反射板部４は、前記二本の支柱めっき管７ａ、７ｂに嵌合し、当該支柱めっき管７ａ、７ｂ沿って上下にスライド可能に配置される。
【００１７】
図３（ａ）（ｂ）は、本実施例１に係る船尾喫水計測用冶具１において使用される前記反射板部４の概略構成図であり、図３（ａ）は、その正面図、図３（ｂ）は、側面図である。図３（ａ）（ｂ）において、符号７ａ、７ｂは、本実施例１に係る船尾喫水計測用冶具１に使用される前記支柱めっき管、９ａ、９ｂは、当該二本の支柱めっき管７ａ、７ｂを外側から嵌合して上下にスライド可能に配置された所定長の二本のスライド管、１０ａ、１０ｂは、当該反射板部４を上下移動可能に吊り下げ紐１５ａ、１５ｂが係合されるフック、１１は、鏡面仕上げの反射板、１２ａ、１２ｂは、前記該スライド管９ａ、９ｂに取りつけられるアイプレート、１３ａ、１３ｂは、前記反射板１１の下端が回動可能に軸支される軸支板、１４ａ、１４ｂは、軸支された前記反射板１１の傾斜を調節する傾斜調節紐１７が貫通するアイプレート、１５ａ、１５ｂは、前記吊り下げ紐、１６ａ、１６ｂは、前記反射板１１の反射面側に配置されるアイプレート、１７ａ、１７ｂは、傾斜調節紐である。
【００１８】
図３（ａ）（ｂ）に示される前記スライド管９ａ、９ｂは、前記支柱めっき管７ａ、７ｂに外側からスライド可能に勘合する内径を有する一部欠落パイプであって、それぞれ上下３００ｍｍ長の支柱めっき管材にスライドに支障がない長さの前記フック１０ａ、１０ｂが掛け渡される構成からなる。また、当該反射板部４は、前記アイプレート１２ａ、１２ｂに係合された前記吊り下げ紐１５ａ、１５ｂで船舶の舷側船上から，その高さ位置を調節可能に吊り下げられて，適宜の高さ（本実施例１に係る船尾喫水計測用冶具１においては、喫水計測の海面高さ位置）に高さ調節される。さらに、本実施例１に係る船尾喫水計測用冶具１の前記反射板１１は、その下端部が、前記軸支板１３ａ、１３ｂを中心として回動可能に配置され、所定の傾斜位置で当該反射板１１を前記アイプレート１４ａ、１４ｂ及び１６ａ、１６ｂに係合する傾斜調節紐１７ａ、１７ｂで所定の傾斜で調整固定する。
【００１９】
なお、本実施例１に係る船尾喫水計測用冶具１においては、反射板１１として、鏡面仕上げの３．２ｍｍ厚、３００ｍｍ×３００ｍｍのＳＵＳ３０４材を用いたが、海水等の防蝕や強度に強く、反射率の良いものであれば、ＳＵＳ材に限らず、ガラス製又はプラスチック製等のものを用いても良いことはもちろんである。
なお、本実施例１に係る船尾喫水計測用冶具１における当該反射板部４は、前記反射板１１に前記文字表示部２の文字表示及び前記透明アクリルパイプ３内の前記フロート６の海面表示の基準線部（図３では図示外）を反射させて、その反射像を船舶舷側上方の船上から判別する機能のものである（当該機能については後に使用状態図に基づいて詳述する。）。
【００２０】
図４（ａ）は、前記文字表示部２及びその表面に配置された前記透明アクリルパイプ３並びに前記フロート６の配置構成を示す概略図であり、図４（ｂ）は、図３（ａ）に示す透明アクリルパイプ３及びその中に海面で浮遊可能に配置される前記フロート６の配置構成を示す概略図である。
図４（ａ）（ｂ）において、符号は図２（ａ）（ｂ）に示す部材と同じ部材は同じ符号で示し、その詳しい説明は省略するが、符号３ａは、前記透明アクリルパイプ３の下端に配置され、海中に浸漬されると海水は透過するが，海中から引き上げられると前記フロート６を内部に留めおく格子栓、６ａは、前記フロート６のフロート上部、６ｂは、同フロート下部、６ｃは、これらのフロート上部６ａとフロート下部６ｂの間の基準線部であり、この基準線部６ｃが海面となるように浮力調整される。
【００２１】
本実施例１に係る船尾喫水計測用冶具１の当該文字表示部２に表示される文字は、図４（ａ）に示すように、船舶喫水（船底から海面までの垂直距離）に当たる文字を表示するものであり、本実施例１に係る船尾喫水計測用冶具１においては、喫水６ｍ（「Ｍ６」の左右反転文字で表示）から喫水８ｍ（「Ｍ８」の左右反転文字で表示）までの間の喫水計測に対応可能とするものである。そして、本実施例１に係る船尾喫水計測用冶具１においては、表示された喫水表示文字を前記反射板部４の前記反射板１１により、その反射像を舷側上方から読み取り容易とするものであるから、その文字表示は、当該文字表示の下方に鏡をおいた場合に舷側上方から素直に読み取り可能に左右反転文字で表示される。例えば、上述するように、「６ｍ」の喫水を示す位置には、左右反転した「Ｍ６」と表示する。
【００２２】
なお、本実施例１に係る船尾喫水計測用冶具１においては、各文字は、縦１００ｍｍ×横８０ｍｍの大きさで表示され、各文字間は縦方向１００ｍｍの間隔で表示されるようにする。このように表示することにより、本実施例１に係る船尾喫水計測用冶具１においては、各「Ｍ」で表示される１メートル間隔の喫水及び各「Ｍ」間を同様の反転文字２〜８で表示するようにしたので、各数字の中心又は文字間の表示を読み取ることにより、０．１ｍ刻みの喫水の読み取りが可能な文字表示板部２としたものである。
【００２３】
また、文字及びその文字が表示される表示板についての色彩は、反対色とすることが望ましい（例えば、文字を白色、表示板を黒色）。また文字は、表示板に直接描いても良いが、文字形状に切り抜いたものを表示板にポンチ打ちで取りつけるものであっても良い。
【００２４】
本実施例１に係る船尾喫水計測用冶具１においては、前記透明アクリルパイプ３として、厚さ２ｍｍ，口径３０ｍｍφ、長さ２３００ｍｍの透明パイプを前記文字表示部２の表面に固定配置したものである。当該透明アクリルパイプ３の固定には、２ｍｍ×１２ｍｍの穴が空いたＪＩＳ  Ｆ３０２１  Ａ２５に倣う前記パイプバンド５ａ〜５ｃが使用され、また、当該透明アクリルパイプ３内には、直径２０ｍｍφの球形フロート６が使用される。
【００２５】
図４（ｂ）に示すように、本実施例１に係る船尾喫水計測用冶具１の前記透明アクリルパイプ３は上下端が開口し、その中に前記フロート６が浮遊可能に配置される。本実施例１に係る船尾喫水計測用冶具１における当該フロート６は、前記フロート下部６ｂとフロート上部６ａとで色分け（例えば、本実施例１に係る船尾喫水計測用冶具１においては、前記フロート下部６ｂが目立つ黄色に、前記フロート上部６ａが橙色）構成され、さらには、両者の材質又は重量等により、その両者の境目である前記基準線部６ｃが海面に位置するように浮力調整されている。
【００２６】
なお、本実施例１に係る船尾喫水計測用冶具１においては、喫水計測開始により、前記透明アクリルパイプ３内に下端に配置された前記格子栓３ａを通って海水が流入すると、前記フロート６は当該透明アクリルパイプ３内に浮かび上がって、海水面で停止し、その停止位置を前記基準線部６ｃから読み取り喫水とするものである。そして、計測後に、本実施例１に係る船尾喫水計測用冶具１を引き上げると海水は前記透明アクリルパイプ３内から抜け、それに伴って前記フロート６は、前記格子栓３ａ位置で内部に留まる構成としたものである。
【００２７】
なお、フロート６の形状は、本実施例１に係る船尾喫水計測用冶具１においては、球形としたが、球形に限らず、円筒形状等を問わず、また、浮力調整においては、海面の上下動に必ずしも敏感に反応するものではなく、フロート６の姿勢が安定する一定の時定数を有する材質等で調整したものであることを妨げない。さらには、前記透明アクリルパイプ３についても、アクリル材質に限るものではなく、前記フロート６の基準線部６ｃと前記文字表示部２の文字を同時に前記反射板部４に映し出すことができるものであれば、材質・形状等が限定されるものではない。
【００２８】
図５は、本実施例１に係る船尾喫水計測用冶具１の前記反射板部４の使用状態、すなわち、前記反射板１１に前記文字表示部２の文字位置及び前記透明アクリルパイプ３内の前記フロート６の基準線部６ｃを反射させて、その反射像を船舶舷側上方の船上から判別する使用状態を示す概略図である。図５に示す使用状態図においては、喫水６ｍ付近の喫水状態を示す図であり、前記フロート６の基準線部６ｃが「Ｍ６」より若干上に位置することから、６．０から６．１ｍ当たりの喫水であることを示す。図５において，符号は，図２〜図４に示した同一の部材は同一の符号で示し、その詳しい説明は省略するが、傾斜して配置された前記反射板１１には、「Ｍ６」の文字表示と共に「Ｍ６」の文字表示の中心から若干上側に前記基準線部６ｃが位置する前記フロート６の反射像が映し出されている。
【００２９】
なお、前記反射板１１の傾斜は、本実施例１に係る船尾喫水計測用冶具１においては、一定とするが、これは計測する船舶の大きさにもより、前記傾斜調節紐１７ａ、１７ｂを舷側船上まで延ばして、舷側船上で傾斜を調節するようにしても良い。
図６は、本実施例１に係る船尾喫水計測用冶具１を船体船尾に配置して、当該船舶の喫水を計測する状態を示す概略図である。図６において、符号１は、前述してきた本実施例１に係る船尾喫水計測用冶具、６は，フロート、１２０は、計測しようとする船舶、１２１は、同船尾、２２は、海水面である。
【００３０】
前述してきたように、本実施例１に係る船尾喫水計測用冶具１を用いて、当該船舶の喫水を計測するには、船舶の船尾舷側船上から１６ｃｍほど治具１の上方を船尾船上より突出させて設置し、本実施例１に係る船尾喫水計測用冶具１の喫水文字表示位置を喫水計測しようとする船舶の舷側船上高さ位置との関係で規定する。その上で、図６に示すように、本実施例１に係る船尾喫水計測用冶具１を船尾舷側から吊り下げ、その海面位置を表示する前記フロート６を基準線部６ｃ位置を喫水文字表示と共に判別すれば良い。
【００３１】
本実施例１に係る船尾喫水計測用治具１は、船舶の喫水計測のために別途の縄梯子等を使用したりする必要もなく、また、計測員が舷外へ身を乗り出しての確認作業を行うなどの必要もなくなり、荒天時の計測などにおいても計測員が落水などの危険に晒されることなく安全に、かつ、正確に船舶喫水の計測を行うことができるという効果を有する。すなわち、計測作業者が安全に計測可能な船尾舷側上甲板から喫水線までの長さを計測する作業において、両端の支柱に目視確認用の鏡を傾斜して取付け、水面近くまで降下させて水面高さを確認するようにしたので、計測者が舷外から身を乗出すことなく安全に喫水確認を行うことができ、また、造船所内に従来からある鋼材等を組合わせて製作できるという効果がある。
【００３２】
特に、船舶船尾域は、プロペラ（図示外）や舵（図示外）等により、船底が大きく丸味を帯び、かつ、船尾船底が急激にやせ細る複雑なフレアー形状をとるので、このような複雑なフレアー形状の船尾の舷側外板が海面に接しない箇所についても正確な喫水数値の計測が可能となるという極めて優れた効果を有する。
【実施例２】
【００３３】
（変形実施例）
本実施例１に係る船尾喫水計測用冶具１は、平板状の治具１に喫水を表示する反転文字の下方に反射像を読み取る前記反射板１１を配置して、船体喫水を測定するようにしたが、本発明に係る実施例２に係る船尾喫水計測用冶具として、二本の支柱管で構成される平板面だけでなく、当該平板面に加え、これに対向する面を有する治具とし、舷側側の文字表示面には左右反転の文字表示及び透明アクリルパイプ並びに内部フロートを配置し、舷側面に対向する面の途中域に所定大きさの鏡等を配置して、当該左右反転文字及びフロート基準線を当該鏡に反射させて、その反射像で喫水を判別するようにしても良いものである。
【００３４】
図７は、上記実施例２に係る船尾喫水計測用冶具の概略構成を示す図である。図７において、符号３０は、実施例２に係る船尾喫水計測用冶具、３１は、舷側側の平板面、３２は、当該舷側側平板面３１に対し，ほぼ半分の長さの平行対向平板面、３３は、その面に取りつけられる反射板であり、その余の符号は図２（ａ）（ｂ）に示すものとほぼ同じである。本実施例２に係る船尾喫水計測用冶具３０によれば、反射像を映し出す鏡面仕上げ反射板３３は、海面より遙か上方に配置することができ、海水腐食等を避けることができる。
【産業上の利用可能性】
【００３５】
本発明は、船舶船尾舷側の船上からの喫水確認として使用することができる船尾喫水計測治具に利用される。
【符号の説明】
【００３６】
１ 実施例１に係る船尾喫水計測用冶具
２ 文字表示部
３ 透明アクリルパイプ
３ａ 格子栓
４ 反射板部
５ａ〜５ｃ パイプバンド
６ 球形フロート
６ａ フロート下部
６ｂ フロート上部
６ｃ 基準線部
７ａ、７ｂ 支柱めっき管
８ａ〜８ｅ 連結板
９ａ、９ｂ スライド管
１０ａ、１０ｂ フック
１１ 反射板
１２ａ、１２ｂ アイプレート
１３ａ、１３ｂ 軸支板
１４ａ、１４ｂ アイプレート
１５ａ、１５ｂ 吊り下げ紐
１６ａ、１６ｂ アイプレート
１７ａ、１７ｂ 傾斜調節紐
３０ 実施例２に係る船尾喫水計測用治具
３１ 舷側側平板面
３２ 平行対向平板面
３３ 反射板
１０１ 船尾部
１０２ 船底面
１０３ 喫水マーク
１０４ ドラフトマークの基準平面
１０５ プロペラ
１０６ 舵
１０７ 満載喫水線
１０８ 軽荷航海喫水
１１０ タワー
１１１ レーザー光線源
１１１ａ レーザー光線
【図１】
2019194057.tif 000003
【図２】
2019194057.tif 000004
【図３】
2019194057.tif 000005
【図４】
2019194057.tif 000006
【図５】
2019194057.tif 000007
【図６】
2019194057.tif 000008
【図７】
2019194057.tif 000009
【図８】
2019194057.tif 000010
【手続補正書】
【提出日】平成31年3月19日(2019.3.19)
【手続補正１】
【補正対象書類名】特許請求の範囲
【補正対象項目名】請求項３
【補正方法】変更
【補正の内容】
【請求項３】
前記反射部は、二本の前記支柱管の間の面に対向する面に配置され、前記文字表示部の文字及び透明パイプ内のフロートの双方を同時に反射する反射部であることを特徴とする請求項１に記載の船尾喫水計測用冶具。
【手続補正２】
【補正対象書類名】明細書
【補正対象項目名】０００９
【補正方法】変更
【補正の内容】
【０００９】
上記課題を解決するために本願請求項１に係る発明は、船尾喫水計測用冶具において、船舶船尾舷側から吊り降ろされる支柱管の下方に配置される文字表示部と、当該文字表示部の表面に配置され、中に下方から侵入する海水の海面位置で浮遊するフロートが配置される透明パイプと、前記支柱管に沿って上下にスライドし、当該文字表示部の表示文字及び前記フロートの双方を同時に反射する反射部とを有することを特徴とする。
また、本願請求項２に係る発明は、前記請求項１に記載の船尾喫水計測用冶具において、前記文字表示部の表示文字は、船底からの垂直距離に対応する喫水数値であり、前記反射部からの反射像として認識するために左右反転して表示される文字であることを特徴とする。
そして、本願請求項３に係る発明は、前記請求項１に記載の船尾喫水計測用冶具において、前記反射部は、二本の前記支柱管の間の面に対向する面に配置され、前記文字表示部の文字及び透明パイプ内のフロートの双方を同時に反射する反射部であることを特徴とする。